(57)【特許請求の範囲】
【請求項１】
駆動輪を支持する中空なスイングアーム本体と、
前記スイングアーム本体内に収容されるインバータと、
前記スイングアーム本体内に収容されて前記インバータから供給される電力で前記駆動輪を回転駆動させる電動機と、
前記スイングアーム本体の上部に設けられて前記スイングアーム本体の内側と前記スイングアーム本体の外側とを直接に繋いで前記スイングアーム本体の内外圧力差を均衡させるブリーザキャップと、
前記スイングアーム本体の下部に設けられて、前記スイングアーム本体内の水分を排出する水抜き孔を有するドレーンと、
前記ドレーンに着脱自在に装着されるドレーンプラグと、
前記スイングアーム本体の底面に設けられて、前記ドレーンプラグを挟む複数の放熱フィンと、を備える電動二輪車の水抜き構造。
【請求項２】
前記電動機は、前記スイングアーム本体の後端部に配置され、
前記インバータは、前記電動機よりも前側に配置され、
前記ドレーンは、前記電動機と前記インバータとの間に配置されている請求項１に記載の電動二輪車の水抜き構造。
【請求項３】
前記電動機は、前記スイングアーム本体の後端部に配置され、
前記インバータは、前記電動機よりも前側に配置され、
前記ブリーザキャップは、前記電動機と前記インバータとの間に配置されている請求項１または２に記載の電動二輪車の水抜き構造。
【請求項４】
前記ドレーンプラグは、前記スイングアーム本体の最下端よりも上方にある請求項１から３のいずれか１項に記載の電動二輪車の水抜き構造。
【請求項５】
前記ドレーンプラグは、後ろ斜め下方向へ向けて延びている請求項１から４のいずれか１項に記載の電動二輪車の水抜き構造。
【発明の詳細な説明】
【技術分野】
【０００１】
本発明は、電動二輪車の水抜き構造に関する。
【背景技術】
【０００２】
スイングアームとしてのユニットケース内に後輪を駆動させる電動機と、電動機に供給される電力を制御するモータドライバと、を備える電動車両が知られている（例えば、特許文献１参照）。
【０００３】
この電動車両は、スイングアームの下面に取り付けられるカバー部材を備えている。モータドライバは、このカバー部材の内側に収納されている。カバー部材の下部には、車体後方側に水分を排出する排水孔が設けられている。
【先行技術文献】
【特許文献】
【０００４】
【特許文献１】特開２０１０−２４７８１１号公報
【発明の概要】
【発明が解決しようとする課題】
【０００５】
従来の電動車両は、カバー部材の下部に設けられる排水孔によって、カバー部材の内外の通気とカバー部材内に生じる水分の排水とが図られている。
【０００６】
しかし、常時開放される排水孔は、カバー部材内の水分、もっぱら凝縮水を排出するのみならず、走行時に車輪が飛沫させる水分や塵などの異物をカバー部材の内部に侵入させてしまう場合がある。
【０００７】
他方、モータドライバ、具体的にはインバータやモータなどの電子、電気機器は稼働時に発熱するため、これらが収納されるスイングアーム内部の空間は通気性を有していることが好ましい。しかしながら、スイングアーム内部に外気が通気されることによって、結露による凝縮水がスイングアーム内部に発生する恐れがある。排水孔の開口面積を大きくして通気性を高めることによって結露を避けられるものの、この場合には走行時に飛沫する水分や塵などの異物の侵入を防ぐことが難しくなってしまう。
【０００８】
つまり、従来の電動車両のように、カバー部材の下部に設けられる排水孔では、通気性と排水性とを両立させることが難しい。
【０００９】
そこで、本発明は、スイングアーム内の通気性と排水性を確保しつつ、走行時に飛沫する水分や塵などがモータやインバータなどの電気、電子機器を収納する空間に侵入することを確実に阻止できる電動二輪車の水抜き構造を提案する。
【課題を解決するための手段】
【００１０】
前記の課題を解決するため本発明に係る電動二輪車の水抜き構造は、駆動輪を支持する中空なスイングアーム本体と、前記スイングアーム本体内に収容されるインバータと、前記スイングアーム本体内に収容されて前記インバータから供給される電力で前記駆動輪を回転駆動させる電動機と、前記スイングアーム本体の上部に設けられて前記スイングアーム本体の内側と前記スイングアーム本体の外側とを直接に繋いで前記スイングアーム本体の内外圧力差を均衡させるブリーザキャップと、前記スイングアーム本体の下部に設けられて、前記スイングアーム本体内の水分を排出する水抜き孔を有するドレーンと、前記ドレーンに着脱自在に装着されるドレーンプラグと、前記スイングアーム本体の底面に設けられて、前記ドレーンプラグを挟む複数の放熱フィンと、を備えている。
【発明の効果】
【００１１】
本発明によれば、スイングアーム内の通気性と排水性を確保しつつ、走行時に飛沫する水分や塵などがモータやインバータなどの電気、電子機器を収納する空間に侵入することを確実に阻止できる電動二輪車の水抜き構造を提供できる。
【図面の簡単な説明】
【００１２】
【図１】本発明の実施形態に係る水抜き構造が適用される電動二輪車の左側面図。
【図２】本発明の実施形態に係る水抜き構造が適用される電動二輪車の外装等を外した状態を示す左側面図。
【図３】本発明の実施形態に係る水抜き構造が適用される電動二輪車の外装等を外した状態を示す斜視図。
【図４】本発明の実施形態に係る電動二輪車のスイングアームの斜視図。
【図５】本発明の実施形態に係る電動二輪車のスイングアームの左側面図。
【図６】本発明の実施形態に係る電動二輪車の水抜き構造の斜視図であってブリーザキャップ近傍の拡大図。
【図７】本発明の実施形態に係る電動二輪車の水抜き構造の斜視図であって排水孔近傍の拡大図。
【図８】本発明の実施形態に係る電動二輪車の水抜き構造の斜視図であって排水孔近傍の拡大図。
【発明を実施するための形態】
【００１３】
以下、本発明に係る電動二輪車の水抜き構造の実施の形態について、図１から図８を参照して説明する。
【００１４】
図１は、本発明の実施形態に係る水抜き構造が適用される電動二輪車の左側面図である。
【００１５】
図２は、本発明の実施形態に係る水抜き構造が適用される電動二輪車の外装等（カバーやシート）を外した状態を示す左側面図である。
【００１６】
図３は、本発明の実施形態に係る水抜き構造が適用される電動二輪車の外装等（カバーやシート）を外した状態を示す斜視図である。
【００１７】
なお、本実施形態における前後上下左右の表現は、電動二輪車１の搭乗者を基準にする。図１から図３中の実線矢印Ｆは電動二輪車１の前方を表し、実線矢印Ｒは電動二輪車１の後方を表している。
【００１８】
図１から図３に示すように、本実施形態に係る電動二輪車としての電動二輪車１は、燃料電池２で発電し、この電力でモータ３を駆動させて走行する車両である。また、電動二輪車１は、スクータ型の自動二輪車である。
【００１９】
電動二輪車１は、前後に延びる車体５と、操舵輪としての前輪６と、前輪６を操舵自在に支えるステアリング機構７と、駆動輪としての後輪８と、後輪８を上下方向へ揺動自在に支えるスイングアーム９と、後輪８の駆動力を発生させるモータ３と、を備えている。
【００２０】
車体５は、車両の前後に延びるフレーム１１と、フレーム１１を覆う外装１２と、フレーム１１後半部の上方に配置されるシート１３と、を備えている。
【００２１】
また、車体５は、燃料電池２と、燃料電池２で発電に使用される燃料としての水素の高圧ガスを貯蔵する燃料タンク１５と、燃料電池２の電力を補助する二次電池１６と、燃料電池２の出力電圧の調整と燃料電池２および二次電池１６の電力の分配を制御する電力管理装置１７と、電力管理装置１７が出力する直流電力を三相交流電力に変換してモータ３へ出力し、モータ３を運転するインバータ１８と、これらを統括的に管理する車両コントローラ１９と、を備えている。
【００２２】
電動二輪車１のパワートレインは、燃料電池２および二次電池１６を有し、車両の走行状態、燃料電池２の発電状態、二次電池１６の蓄電状態によって各電池の電力を適宜に使うシステムである。また、電動二輪車１は、減速する際にモータ３で回生電力を発生させる。車両の電源である二次電池１６および燃料電池２は、インバータ１８に並列に接続されてモータ３へ電力を供給する。二次電池１６は、電動二輪車１が減速する際にモータ３で発生する回生電力および燃料電池２が発電する電力を蓄える。
【００２３】
フレーム１１は、複数の鋼鉄製中空管を一体に組み合わせたものである。フレーム１１は、前端上部に配置されるヘッドパイプ２１と、ヘッドパイプ２１の中央部から後ろ下がりに傾斜して延びる上部ダウンフレーム２２と、ヘッドパイプ２１の下方に配置され、後ろ下がりに傾斜して延びる下部ダウンフレーム２３と、左右一対の下部フレーム２４と、左右一対の上部フレーム２５と、ピボット軸２６と、上ブリッジフレーム２７と、下ブリッジフレーム２８と、ガードフレーム２９と、搭載機器保護フレーム３０と、を備えている。
【００２４】
ヘッドパイプ２１は、ステアリング機構７を操舵自在、つまり車両の左右方向へ揺動自在に支持している。
【００２５】
左右一対の下部フレーム２４は、下部ダウンフレーム２３の左右に配置され、ヘッドパイプ２１の下部に接続されている。また、左右一対の下部フレーム２４は、ヘッドパイプ２１との接続部分から下部ダウンフレーム２３に沿って略平行に、かつ後ろ下がりに傾斜して延びる前側傾斜部分と、傾斜部分の下端で後方に向かって湾曲する前側の湾曲部分と、前側の湾曲部分の後端から略水平に車体５の後方へ向かって車体５の中央部分（車両の前後方向で中央部分）に達するまで直線状に延びる直線部分と、を有している。さらに、左右一対の下部フレーム２４は、直線部分の後端部から後上方に向けて湾曲する後ろ側の湾曲部分と、この後ろ側の湾曲部分の上端部から後ろ上がりに傾斜して延びる後側傾斜部分を経て上部フレーム２５に接続される上下フレーム接合部と、を有している。なお、左右の下部フレーム２４の間隔は、上部フレーム２５の間隔よりも広い。
【００２６】
また、左右それぞれの下部フレーム２４は、前側の湾曲部分の外側に搭乗者が足を置くフットボード３１を下方から支持するフットレストブラケット３１ａを備えている。
【００２７】
車体５の左側に配置される下部フレーム２４は、サイドスタンドブラケット（図示省略）を備えている。サイドスタンドブラケット（図示省略）には、電動二輪車１を左側へ傾けた状態で自立させるサイドスタンド（図示省略）が設けられている。サイドスタンド３２は、電動二輪車１を自立させる起立位置と、走行の妨げとならないよう車体５に添う収納位置との間を揺動する。
【００２８】
左右一対の上部フレーム２５は、車体５の前半部において下部フレーム２４の前側の傾斜部分の上下方向の中央部に接続されている。左右一対の上部フレーム２５は、下部フレーム２４の前側の傾斜部分との接続部分から車体５の後方に向かって略水平に延びる水平部分と、左右一対の上部フレーム２５の水平部分の後端であって、車体５の後半部、かつ後輪８の上方部分において後ろ上がりに大きく傾斜し、車体５の左右方向内側へ湾曲して後輪８の太さ（幅寸法）程度に接近する後端部と、を有している。
【００２９】
ピボット軸２６は、車体５の後半部において左右の上部フレーム２５間に架設されている。また、ピボット軸２６は、上部フレーム２５の下側、かつ上部フレーム２５と下部フレーム２４との合流部分（上下フレーム接合部）よりも後方であって、上部フレーム２５の水平部分と下部フレーム２４の後側傾斜部分とに接続されるブラケット２６ａに配置されている。
【００３０】
上ブリッジフレーム２７は、左右の上部フレーム２５の前端部に架設されている。上ブリッジフレーム２７は、左右の上部フレーム２５の間を実質的に車両の左右方向へ直線状に延びて、左右の上部フレーム２５を連結している。
【００３１】
下ブリッジフレーム２８は、左右の下部フレーム２４の前側の屈曲部分に架設されている。下ブリッジフレーム２８は、左右の下部フレーム２４の間を実質的に車両の左右方向へ直線状に延びて、左右の下部フレーム２４を連結している。
【００３２】
ガードフレーム２９は、左右の下部フレーム２４の後側の湾曲部分に架設されている。ガードフレーム２９は、左右の下部フレーム２４との接続部分から後下方に延びるとともに、フレーム１１の内部空間を拡大するように後ろ下がりのＵ字形状に延びている。ガードフレーム２９には、電動二輪車１を直立状態で自立させるセンタースタンド３３が設けられている。センタースタンド３３は、電動二輪車１を自立させる起立位置と、走行の妨げとならないよう車体５に添う収納位置との間を揺動する。
【００３３】
上部ダウンフレーム２２は、ヘッドパイプ２１と上ブリッジフレーム２７との間に架設されている。
【００３４】
下部ダウンフレーム２３は、左右の下部フレーム２４の上部の間で実質的に車両の左右方向へ直線状に延びて架設されるヘッドパイプ近傍ブリッジフレーム３４の車両の左右方向中央部に接続される上端部と、下ブリッジフレーム２８の車両の左右方向中央部に接続される下端部とを有している。
【００３５】
搭載機器保護フレーム３０は、上部フレーム２５の後半部の上部に設けられている。搭載機器保護フレーム３０は、燃料電池２を電動二輪車１の車体に支持している。また、搭載機器保護フレーム３０は、その一部を上部フレーム２５に着脱できる。
【００３６】
シート１３は、フレーム１１の後半部上方を覆って前後に延びている。シート１３はタンデム式であり、搭乗者を着座させる前半部１３ａと、同乗者を着座させる後半部１３ｂとを一体的に備えている。また、シート１３は、前半部１３ａと後半部１３ｂとの間に傾斜部１３ｃを備えている。
【００３７】
ここで、左右の上部フレーム２５および左右の下部フレーム２４で囲まれる空間をセンタートンネル領域３５と呼び、上部フレーム２５の後半部、外装１２およびシート１３で囲まれる空間を機器搭載領域３６と呼び、センタートンネル領域３５の後方かつ機器搭載領域３６の下方の空間をタイヤハウス領域３７と呼ぶ。
【００３８】
センタートンネル領域３５は、燃料タンク１５を収容している。本実施形態に係るスクータ型の電動二輪車１では、センタートンネル領域３５は、搭乗者が足を乗せる左右のフットボード３１の間で、車両の前後方向に沿って配置され、フットボード３１の足載せ領域を左右に分断するようにフットボード３１から上方に隆起している。換言すると、センタートンネル領域３５の左右には、足載せ領域となるフットボード３１が配置され、左右のフットボード３１の間に燃料タンク１５が配置されている。
【００３９】
機器搭載領域３６は、車体５の前側から順に二次電池１６、電力管理装置１７、燃料電池２を収容している。機器搭載領域３６は、搭載機器保護フレーム３０によって前端部、中央部、後端部、および中央部から後端部に渡る側部を保護されている。
【００４０】
搭載機器保護フレーム３０は、機器搭載領域３６を囲んで機器搭載領域３６に搭載される機器を保護している。搭載機器保護フレーム３０は、機器搭載領域３６の前端部に配置されて左右の上部フレーム２５の間で上に凸のアーチ状に架設される前保護フレーム３０ａと、機器搭載領域３６の中央部であって、上部フレーム２５と下部フレーム２４との合流箇所よりも後ろ側に配置されて左右の上部フレーム２５の間で上に凸のアーチ状に架設される中央保護フレーム３０ｂと、機器搭載領域３６の後端部に配置されて左右それぞれの上部フレーム２５が内側に湾曲する部分に接続され、この湾曲部分から後ろ斜め上方へ延びる左右一対の後保護フレーム３０ｃと、中央保護フレーム３０ｂの左右それぞれから後方へ延びて後保護フレーム３０ｃの上端部に接続され、さらに車体５の後端部へ到達する左右一対の側部保護フレーム３０ｄと、左右の側部保護フレーム３０ｄの後端部に架設されるブラケット３０ｅと、を備えている。左右の上部フレーム２５は、前保護フレーム３０ａの下端が接合される箇所で屈曲して車両の後方に向かって間隔を拡げ、中央保護フレーム３０ｂの下端が接合される箇所で屈曲して車両の後方に延びている。このため、中央保護フレーム３０ｂは、前保護フレーム３０ａよりも幅が広く、高さも高い。後保護フレーム３０ｃおよび左右一対の側部保護フレーム３０ｄは一体化されている。また、後保護フレーム３０ｃおよび左右一対の側部保護フレーム３０ｄは、中央保護フレーム３０ｂおよび上部フレーム２５に着脱自在に連結されて燃料電池２を支持している。
【００４１】
タイヤハウス領域３７には後輪８が配置されている。
【００４２】
機器搭載領域３６とタイヤハウス領域３７との間には、それぞれの領域を分断する隔壁部材としてのリアフェンダ３８が設けられている。
【００４３】
外装１２は、車体５の前半部を覆うフロントレッグシールドカバー４１と、車体５の中央上部に配置されてセンタートンネル領域３５などの上部フレーム２５の上方を覆うフロントフレームカバー４２と、車体５の後半部に配置されて機器搭載領域３６などの車体５の側面のうちシート１３の下方部分を覆うフレームカバー４３と、を備えている。
【００４４】
フレームカバー４３は、シート１３とともに機器搭載領域３６を囲んでいる。機器搭載領域３６は、シート１３、フレームカバー４３およびリアフェンダ３８に囲まれる閉鎖的な空間である。機器搭載領域３６は、フレームカバー４３、もしくはリアフェンダ３８の適宜の箇所に設けられる通気孔（図示省略）によって、燃料電池２への空気の流れを容易、かつ確実に制御し、また冷却が必要な装置へ冷却風としての空気の流れを容易、かつ確実に制御している。なお、機器搭載領域３６は、各カバーの継ぎ目などから空気が入り込むことを許容する。
【００４５】
ステアリング機構７は、車体５の前方に配置されて、フレーム１１のヘッドパイプ２１を中心に左右方向へ揺動し前輪６の操舵を可能にする。ステアリング機構７は、頂部に設けられるハンドル４５と、ハンドル４５と前輪６とを連結し、若干後傾して上下に延びる左右一対のフロントフォーク４６と、を備えている。左右のフロントフォーク４６は、弾性的に伸縮自在なテレスコピック構造を備えている。左右のフロントフォーク４６の下端部には、前輪６を回転自在に支持する車軸（図示省略）が架設されている。前輪６の上方には、フロントフェンダ４７が配置されている。フロントフェンダ４７は、左右のフロントフォーク４６の間にあって、フロントフォーク４６に固定されている。
【００４６】
前輪６は、左右のフロントフォーク４６の下端部に架設されている車軸の周りに回転自在な従動輪である。
【００４７】
スイングアーム９は、車体５の左右へ延びている回転中心としてのピボット軸２６の周りに上下方向へ揺動する。スイングアーム９は、車体５の左右で前後方向に延びる一対のアーム部の間に後輪８を回転自在に支持している。フレーム１１とスイングアーム９との間には、リアサスペンション４８が架設されている。リアサスペンション４８の上端部は、上部フレーム２５の後端部に揺動自在に支持されている。リアサスペンション４８の下端部は、スイングアーム９の後端部に揺動自在に取り付けられている。リアサスペンション４８は、スイングアーム９の揺動を緩衝する。
【００４８】
またスイングアーム９は、後輪８を回転駆動させるモータ３と、燃料電池２から供給される直流電力を交流電力に変換してモータ３へ供給するインバータ１８と、を収容している。
【００４９】
モータ３は、燃料電池２または二次電池１６から供給される電力によって後輪８を回転駆動させる。モータ３は、スイングアーム９の後部に収容されて、後輪８の車軸と同軸に配置されている。モータ３はスイングアーム９に一体的に組み付けられてユニットスイング式スイングアームを構成している。
【００５０】
インバータ１８は、スイングアーム９の前部に収容されて、ピボット軸２６とモータ３との間に配置されている。
【００５１】
後輪８は、モータ３から駆動力が伝達される車軸（図示省略）によって支えられる駆動輪である。
【００５２】
燃料電池２は、燃料と酸化剤とを反応させて発電する。燃料電池２は、燃料として高圧ガス、例えば水素ガスを使用し、酸化剤として空気中の酸素を使用して発電し、空気を用いて冷却する空冷式燃料電池システムである。
【００５３】
燃料電池２は、機器搭載領域３６の後半側に配置されている。さらに具体的には、燃料電池２は、シート１３の前半部１３ａと後半部１３ｂとの間の傾斜部から後半部１３ｂの下方に渡って配置されている。つまり、車両の側面視で、燃料電池２は、同乗者を着座させるシート１３の後半部１３ｂと後輪８やスイングアーム９との間に配置されている。
【００５４】
燃料電池２は、車体５の前後方向に延びる長辺を有する直方体形状であって、吸気口２ａが配置される正面を前斜め下方へ向け、排気口２ｂが配置される背面を後ろ斜め上方へ向ける姿勢で機器搭載領域３６に配置されている。つまり、燃料電池２は、前方側が後方側よりも下方に位置する前傾姿勢でフレーム１１に固定されている。詳細には、燃料電池２の上部は搭載機器保護フレーム３０に固定され、燃料電池２の下部は上部フレーム２５に固定されている。
【００５５】
燃料電池２は、正面側から背面側へ向かって連結される扁平な複数のモジュールを含んでいる。具体的には、燃料電池２は、正面側から順に積層状態に重ねられて連結されるフィルタ（図示省略）、吸気シャッタ（図示省略）、燃料電池スタック（図示省略）、ファン（図示省略）、排気シャッタ（図示省略）を有している。燃料電池２の天面には、燃料電池用制御部（図示省略）が設けられている。
【００５６】
吸気シャッタは、開閉自在な空気の吸気口２ａを有し、吸気口２ａを開閉して燃料電池スタックへの空気の導入量を制御することができるとともに、吸気口２ａを閉じて燃料電池２内で空気を循環させる循環経路を形成することができる。排気シャッタは、開閉自在な空気の排気口２ｂを有し、排気口２ｂを閉じて燃料電池２内で空気を循環させる循環経路を形成することができる。換言すると、燃料電池２は、正面に開閉可能な吸気口２ａを有し、背面に開閉可能な排気口２ｂを有し、吸気口２ａと排気口２ｂを閉じることで燃料電池２内の空気を循環させることができる。
【００５７】
燃料電池スタックは、吸気口から吸い込まれる空気に含まれる酸素と燃料タンク１５から供給される水素とを電気化学反応させて発電し、発電後に湿潤な余剰ガスを生成する。
【００５８】
ファンは、機器搭載領域３６内の空気を吸気口から燃料電池２内に吸い込むための吸込負圧を発生させる一方で、燃料電池スタックから余剰ガスを吸い出して排気口から排気する。ファンが流動させる空気の流れは、燃料電池スタックで発電に用いられる他に、燃料電池２の冷却に利用される。
【００５９】
燃料電池２の後方には、排気ダクト５２が設けられている。燃料電池２のファンは、余剰ガスを燃料電池スタックから吸い出して排気ダクト５２へ排気する。排気ダクト５２の前端部は、燃料電池２の箱体（詳細には、排気シャッタの枠体）に気密に接続されている。排気ダクト５２は、車体５の後端で後下方と後上方に向かって開口される排気口５２ａを有している。排気ダクト５２は、燃料電池２のファンから吐出される排気（余剰ガス）を、排気口５２ａへ導いて車体５の後方へ排出する。
【００６０】
排気ダクト５２の排気口５２ａは、燃料電池２の排気面（背面）よりも上方であって、望ましくは排気ダクト５２の後方上端部に配置されている。詳細には、燃料電池２の排気口よりも高い位置に排気口５２ａの上縁部が配置されている。排気ダクト５２は、燃料電池２の排気面（背面）よりも上方に配置される排気口５２ａを有することによって、未反応の水素ガスを含む湿潤な余剰ガスを排気口５２ａに導いて車体５から確実に排気することができる。
【００６１】
燃料タンク１５は高圧圧縮水素貯蔵システムである。燃料タンク１５は、炭素繊維強化プラスチック（ＣＦＲＰ）製の、あるいはアルミライナ製複合容器である圧力容器５５と、燃料充填口５６を有する燃料充填用継手５７と、燃料充填元弁５８と、遮断弁（図示省略）とレギュレータ（図示省略）とを一体的に有する燃料供給元弁５９と、を備えている。
【００６２】
圧力容器５５は、燃料電池２の燃料としての水素ガスを貯蔵するアルミライナ製複合容器である。燃料タンク１５は、例えば約７０ＭＰａの水素ガスを貯蔵する。圧力容器５５は、円筒形状の胴部と、胴部の前後の端面にドーム状の鏡板と、を有している。圧力容器５５は、円筒胴の中心線を車体５の前後方向へ沿わせてセンタートンネル領域３５内に配置されている。圧力容器５５は、一対の上部フレーム２５、一対の下部フレーム２４、下ブリッジフレーム２８、およびガードフレーム２９に周囲を囲まれて、電動二輪車１の転倒や衝突による負荷に対して堅牢に保護されている。
【００６３】
また、圧力容器５５は、車体５の一方側の側部に配置される上部フレーム２５、例えば車体５の右側に配置される上部フレーム２５と、車体５の他方側の側部に配置される下部フレーム２４、例えば車体５の左側に配置される下部フレーム２４との間に架設されるクランプバンド６１によってセンタートンネル領域３５に支持されている。詳細には、圧力容器５５は、右側の上部フレーム２５と左側の下部フレーム２４との間に架設される下クランプバンド（クランプバンド６１の下半部）に載置され、上クランプバンド（クランプバンド６１の上半部）で締め付け挟持されている。なお、クランプバンド６１は、車体５の左側に配置される上部フレーム２５と、車体５の右側に配置される下部フレーム２４との間に架設されていても良い。
【００６４】
燃料充填用継手５７は、センタートンネル領域３５の外側、詳しくは後ろ上方であって、機器搭載領域３６の前端部に配置されている。燃料充填用継手５７は、二次電池１６よりも上方、あるいは真上に配置されている。燃料充填用継手５７は、搭載機器保護フレーム３０の前保護フレーム３０ａの上部と中央保護フレーム３０ｂの上部との間に架設される継手用ブラケット３０ｆに固定されている。燃料充填用継手５７は、燃料充填時に設備側の継手を車体の上方、かつ左側から差し込めるよう、車体５の上方、かつやや左側に向かって延びている。燃料充填用継手５７は、シート１３の前端部に設けられる燃料充填口用リッド６２によって覆い隠されている。燃料充填口用リッド６２は、ヒンジ機構（図示省略）を介してシート１３に支持されており、揺動することで開閉できる。燃料充填用継手５７は、燃料としての水素の高圧ガスを燃料タンク１５に導き入れる入口としての燃料充填口５６を有している。
【００６５】
燃料充填口５６は、燃料充填用継手５７の頂部に配置されている。また、燃料充填口５６は、車体５の左上方を向いている。燃料タンク１５に燃料を充填する際、燃料充填口用リッド６２を開放した状態において、燃料充填口５６の上方は、雰囲気に開放されている。したがって、高圧ガス（燃料、水素ガス）を燃料タンク１５に充填する際、仮に高圧ガス（燃料、水素ガス）が漏洩しても、漏洩燃料は滞留することなく電動二輪車１の上方へ拡散する。
【００６６】
燃料充填元弁５８および燃料供給元弁５９は、一体化されて圧力容器５５の後方側の鏡板の頂部に設けられているタンクバルブ６３に内蔵されている。燃料供給元弁５９の遮断弁は、電磁弁を用いた開閉弁である。タンクバルブ６３は、ガードフレーム２９で囲まれた空間に配置されている。
【００６７】
二次電池１６は、箱状のリチウムイオン電池である。二次電池１６は、機器搭載領域３６の前端部であって、圧力容器５５の後半部、つまり円筒胴の後半部、および後方側の鏡板とシート１３の前半部１３ａとの間に配置されている。
【００６８】
なお、電動二輪車１は、二次電池１６の他に、メータ類（図示省略）、ランプ類（図示省略）用の電源として、例えば１２Ｖ系の電力を供給する第２二次電池（図示省略）を備えている。第２二次電池は、ヘッドパイプ２１の周囲、例えば、ヘッドパイプ２１の右側の側方に配置されている。
【００６９】
また、仮に燃料充填口５６から燃料としての水素ガスが漏洩しても、空気より軽い水素ガスは上昇して、車内に滞留することなく車外に拡散する。また、仮に燃料充填元弁５８または燃料供給元弁５９から燃料としての水素ガスが漏洩しても、水素ガスはタイヤハウス領域３７に向かって移動して、車内に滞留することなく車外に拡散する。
【００７０】
電力管理装置１７は、機器搭載領域３６内で二次電池１６と燃料電池２との間に配置され、フレーム１１に固定されている。なお、電力管理装置１７は二次電池１６と同じ防水ケース内に配置されていても良い。
【００７１】
電動二輪車１は、二次電池１６、電力管理装置１７、および燃料電池２を上述のように配置することによって、電気的な接続関係が隣り合う装置を極力近接する位置に配置することが可能であり、装置間の配線長を短く、配線に係る重量を軽くすることができる。
【００７２】
車両コントローラ１９は、電動二輪車１内で比較的に高所となるヘッドパイプ２１の周囲、例えば、１２Ｖ系の電力を供給する第２二次電池の反対側にあたるヘッドパイプ２１の左側の側方に配置されている。
【００７３】
次いで、電動二輪車１のスイングアーム９について詳しく説明する。
【００７４】
図４は、本発明の実施形態に係る電動二輪車のスイングアームの斜視図である。
【００７５】
図５は、本発明の実施形態に係る電動二輪車のスイングアームの左側面図である。
【００７６】
図４および図５に示すように、本実施形態に係る電動二輪車１のスイングアーム９は、後輪８を片持ち状に支持する中空なスイングアーム本体６５と、スイングアーム本体６５内に収容される駆動ユニット６６と、モータ３の回転駆動力を減速して後輪８へ伝達する減速機６７と、を備えている。駆動ユニット６６は、インバータ１８およびモータ３を含んでいる。
【００７７】
スイングアーム本体６５は、車体５のピボット軸２６によって支えられるピボット部６８と、ピボット部６８の側方、ここでは左側方から後方へ延びて後輪８の左側方に到達する駆動ユニット収容部６９と、を備えている。
【００７８】
ピボット部６８は、フレーム１１の内側の幅いっぱいに拡がっている。側面視において、ピボット部６８は、ピボット軸２６を配置するパイプ７１を頂点にして下方へ拡がる三角形状の箱体であり、上下左右に重量軽減口を有している。
【００７９】
駆動ユニット収容部６９は、ピボット部６８に一体の内側ケース半体７２と、内側ケース半体７２を閉じる外側ケース半体７３と、を備えている。内側ケース半体７２と外側ケース半体７３とは、前後に延びる分割面で組み合わされる。なお、図５は、外側ケース半体７３を取り外した状態を示している。
【００８０】
内側ケース半体７２は、後輪８の側面を臨む内側側面７５（壁面）を有して車両の左側方へ開く空間を区画している。
【００８１】
外側ケース半体７３は、車両の左側から内側ケース半体７２を閉じる蓋の役割を担っている。
【００８２】
なお、駆動ユニット収容部６９は、車両の右側に配置されていても良く、この場合、内側ケース半体７２および外側ケース半体７３の配置は左右で逆転し、後輪８との関係も左右で逆転する。
【００８３】
駆動ユニット収容部６９の後端部には、モータ３を収容するモータ室７６が区画されている。モータ室７６よりも前側、つまりモータ室７６よりもピボット部６８に近い側にはインバータ室７７が区画されている。モータ室７６およびインバータ室７７は、内側ケース半体７２および外側ケース半体７３によって閉じられて外気の流入が制限されている。インバータ室７７の内面のうち、内側ケース半体７２の内側側面７５の裏面７８は平坦であり、インバータ１８の設置面である。平坦な裏面７８とインバータ１８との間には放熱グリス（図示省略）が埋められていて、インバータ１８とスイングアーム本体６５との熱的な接続が図られている。
【００８４】
そして、スイングアーム本体６５は、後輪８の側面を臨む内側側面７５（壁面）に設けられて、後輪８に同心な複数の円弧状の放熱フィン８１を有している。
【００８５】
それぞれの放熱フィン８１は、後輪８の回転中心からの距離を実質的な半径とする円弧であって、内側側面７５に、ほぼ等間隔に並んでいる。放熱フィン８１は、内側側面７５から後輪８の側面に向かって突出している。
【００８６】
複数の放熱フィン８１は、スイングアーム本体６５の天面および底面の少なくともいずれかに連続して延びている。
【００８７】
複数の放熱フィン８１は、後輪８の形状に準じて突出高さが異なるものを含んでいる。具体的には、放熱フィン８１は、後輪８に干渉しない程度の隙間を隔てつつ、隙間の大きさを実質的に一定に揃えて。後輪８の形状に準じて突出高さが異なっている。
【００８８】
また、スイングアーム９は、スイングアーム本体６５の天面および底面の少なくともいずれかに設けられて、隣り合う放熱フィン８１の端部を繋ぐ導風リブ８２を備えている。なお、図４は、放熱フィン８１が天面および底面の両方に延長され、かつ導風リブ８２が天面および底面の両方に設けられている態様を示している。
【００８９】
導風リブ８２は、放熱フィン８１と同程度の高さで突出して放熱フィン８１間の空間の端を区切っている。
【００９０】
また、スイングアーム９は、放熱フィン８１に重ねて配置され、インバータ１８をスイングアーム本体６５に固定する締結部材（図示省略）が締め付けられるボス８３を備えている。
【００９１】
インバータ１８は、内側ケース半体７２の内側側面７５の裏面７８に接している。インバータ１８は、後輪８の回転軸線方向視において、後輪８に重なる部分の方が大きい。換言すれば、インバータ１８の大部分は、後輪８の側方投影領域内に重なっている。
【００９２】
減速機６７は、モータ室７６の内側側面に設けられている。減速機６７は、出力軸としての後輪車軸（図示省略）を備えている。後輪８は、後輪車軸に固定されている。
【００９３】
後輪８は、スイングアーム本体６５のピボット部６８の後方、かつ駆動ユニット収容部６９の右側方であって、車両の中心線上に配置されている。車両の側面視において、後輪８の左側面の一部には、スイングアーム本体６５の駆動ユニット収容部６９が重なり、この重なり部分にモータ３の全体とインバータ１８の大部分とが配置されている。
【００９４】
さらに、スイングアーム９は、内側ケース半体７２の内側側面７５の放熱フィン８１の他に、内側ケース半体７２の底面８５にも複数の放熱フィン８６を備えている。
【００９５】
複数の放熱フィン８６は、内側ケース半体７２の底面８５の全域、つまりインバータ室７７からモータ室７６の底面全域に渡って設けられている。複数の放熱フィン８６は、車両の前後方向、つまり駆動ユニット収容部６９の長手方向に延びており、車両の左右方向、つまり駆動ユニット収容部６９の幅方向に整列している。また、複数の放熱フィン８６は、下方へ向かって突出している。
【００９６】
放熱フィン８６は、スイングアーム本体６５、具体的には内側ケース半体７２に一体的に設けられている。
【００９７】
次いで、電動二輪車１の水抜き構造について詳しく説明する。
【００９８】
図６は、本発明の実施形態に係る電動二輪車の水抜き構造の斜視図であってブリーザキャップ近傍の拡大図である。
【００９９】
図７および図８は、本発明の実施形態に係る電動二輪車の水抜き構造の斜視図であって排水孔近傍の拡大図である。
【０１００】
図５に加えて図６から図８に示すように、本実施形態に係る水抜き構造９１は、後輪８を支持する中空なスイングアーム本体６５と、スイングアーム本体６５内に収容されるインバータ１８と、スイングアーム本体６５内に収容されてインバータ１８から供給される電力で後輪８を回転駆動させるモータ３と、スイングアーム本体６５の上部に設けられてスイングアーム本体６５の内外圧力差を均衡させるブリーザキャップ９２と、スイングアーム本体６５の下部に設けられて、スイングアーム本体６５内の水分を排出する水抜き孔９３を有するドレーン９５と、ドレーン９５に着脱自在に装着されるドレーンプラグ９６と、を備えている。
【０１０１】
モータ３は、スイングアーム本体６５の後端部に配置されている。インバータ１８は、モータ３よりも前側に配置されている。つまり、モータ３およびインバータ１８は、後輪８の左側で車両の前後方向に延びるスイングアーム本体６５内に、車両の前方からインバータ１８、モータ３の順に収容されている。
【０１０２】
スイングアーム本体６５内は、モータ３が配置されるモータ室７６とインバータ１８が配置されるインバータ室７７を有している。モータ室７６とインバータ室７７との間には、モータ室７６とインバータ室７７とを区画するように内側ケース半体７２に一体に突出形成される隔壁９７が設けられている。隔壁９７は、車両の側方視において円形のモータ室７６に沿って円弧状に拡がり、内側ケース半体７２の外壁９８の側壁（後輪８側の縦壁）からスイングアーム本体６５内に突出するとともに、その上下端が外壁９８の上面（上壁）と外壁９８の底面（底壁）に繋がって、全体としてモータ３を円形に囲んでいる。隔壁９７は、モータ室７６とインバータ室７７とを完全に隔離するものではなく、インバータ１８からモータ３へ電力を供給する電力線９９が通過する程度の隙間を有している。この隙間は、内側ケース半体７２と外側ケース半体７３との間に生じている。また、この隙間は、図５に示すように、外壁９８の上面（上壁）との接続部から外壁９８の底面（底壁）との接続部まで延びている。
【０１０３】
隔壁９７の上端近傍であって、インバータ室７７を仕切る内側ケース半体７２の外壁９８の上面には、ブリーザキャップ９２に通じる通気孔１０１が穿たれている。つまり、内側ケース半体７２の外壁９８は、隔壁９７の上端近傍であってインバータ室７７側に通気孔１０１を有している。詳細には、通気孔１０１は、車両の前後方向で隔壁９７の上端部よりも前方にあるインバータ室７７の外壁９８の上面に設けられている。より詳細には、通気孔１０１は、車両の前後方向でインバータ１８よりも車両の後方であって、モータ室７６側に回り込む隔壁９７と外壁９８の上面とに囲まれた隅角空間に開口されている。
【０１０４】
隔壁９７の下端近傍であって、インバータ室７７を仕切る内側ケース半体７２の外壁９８の底面は、ピボット軸２６から後輪８の車軸へと後ろ斜め下方へ傾くスイングアーム本体６５の傾きに倣うように後ろ斜め下方へ傾く内壁面１０３と、内壁面１０３の後方側でスイングアーム本体６５の傾きに反して後ろ斜め上方へ傾く内壁面１０２と、を有している。内側ケース半体７２の底面は、後ろ斜め上方へ傾く内壁面１０２と後ろ斜め下方へ傾く内壁面１０３との隣接部分に内壁面１０２と内壁面１０３の最下部となる谷部１０５を有している。さらに、内壁面１０２の後端には、内側ケース半体７２と外側ケース半体７３とを結合するためのネジ穴を有するボスがスイングアーム本体６５内に膨出している。このボスは、モータ室７６とインバータ室７７との間に配置されている。このボスには、隔壁９７の下端が接続されている。ボスの形状および隔壁９７の端部は、内壁面１０２から上方に突出している。なお、外側ケース半体７３の底面も同様に傾いた内壁面およびボスを有している。
【０１０５】
また、内側ケース半体７２の後ろ斜め上方へと傾く内壁面１０２には、ドレーン９５に繋がる水抜き孔９３が穿たれている。つまり、内側ケース半体７２の外壁９８は、隔壁９７の下端近傍であってインバータ室７７側に水抜き孔９３を有している。水抜き孔９３は、車両の前後方向で谷部１０５とボスの間に設けられている。
【０１０６】
ブリーザキャップ９２は、車両の前後方向でモータ３とインバータ１８との間の外壁９８の上面（上壁）に設けられる通気孔１０１に接続されている。ブリーザキャップ９２は、駆動ユニット収容部６９内外の通気を図る一方で、水分や塵の侵入を防ぐ。ブリーザキャップ９２は、空気を通過させる一方で水滴や塵の通過を阻む繊維状の膜を内蔵している。
【０１０７】
ところで、ブリーザキャップ９２を通過する空気、およびスイングアーム本体６５内に存在する空気は、もっぱら湿気を含んでいるため、モータ３およびインバータ１８が停止して冷たくなると、駆動ユニット収容部６９内には結露による凝縮水が生じてしまう。そこで、本実施形態に係る水抜き構造９１は、ドレーン９５を備えている。
【０１０８】
ドレーン９５は、モータ３とインバータ１８との間に配置されている。より詳しくは、ドレーン９５は、内側ケース半体７２の後ろ斜め上方へ傾く内壁面１０２と後ろ斜め下方へ傾く内壁面１０３との谷部１０５の後方で谷部１０５に隣接して配置されている。特に水抜き孔９３は、後ろ斜め上方へ傾く内壁面１０２に配置されて谷部１０５の底の方へ向かって斜めに開口されている。
【０１０９】
ドレーン９５は、内側ケース半体７２の外側において車両の後ろ斜め下方へ延びている。つまり、ドレーン９５は、後ろ斜め上方へ傾く内壁面１０２との間で車両の前後両側に鋭角をなし、上下両側に鈍角をなしている。水抜き孔９３は、ドレーン９５の内部で、ドレーン９５と同様に、車両の後ろ斜め下方へ延びている。
【０１１０】
駆動ユニット収容部６９内に生じた凝縮水は、重力によって滴り落ちて内側ケース半体７２の後ろ斜め上方へ傾く内壁面１０２と後ろ斜め下方へ傾く内壁面１０３との谷部１０５に集まる。また、凝縮水の一部は、上端がブリーザキャップ９２の近傍に配置され、下端が内壁面１０２の後端部の近傍に配置される隔壁９７を伝って、内壁面１０２に流れる。水抜き孔９３は谷部１０５に隣接しているため、谷部１０５に滴り落ちて集まった水分（もっぱら凝縮水）は、水抜き孔９３からドレーンプラグ９６へ回収される。
【０１１１】
なお、ドレーン９５の水抜き孔９３の開口縁は、谷部１０５の底に接していても良いし、谷部１０５を跨いで内側ケース半体７２の後ろ斜め下方へ傾く内壁面１０３（内壁面１０２の前方に隣接する面）側に侵入していても良い。さらに、ドレーン９５の水抜き孔９３の開口縁は、谷部１０５に掛からずに内側ケース半体７２の後ろ斜め上方へ傾く内壁面１０２に全周が配置されていても良い。いずれの場合においても、谷部１０５に集まる凝縮水は、電動二輪車１の加速にともなって谷部１０５側からモータ室７６側へ慣性運動してスイングアーム本体６５内から水抜き孔９３に流れ込み、ドレーンプラグ９６内に溜る。なお、車両の加速にともなって慣性運動して水抜き孔９３の開口部の側方を通過して車両の後方側に移動した凝縮水は、内壁面１０２の後端に設けられ、スイングアーム本体６５内にその一部が現出する前記ボスで堰き止められて、モータ室７６への流入が抑制され、加速が終了すると谷部１０５側に流れ戻り、一部が水抜き孔９３に流れ込む。
【０１１２】
ドレーンプラグ９６は、ドレーン９５の出口端部、つまり、水抜き孔９３に圧入固定され内側ケース半体７２の外側に突出するパイプの端部に被さるキャップである。ドレーンプラグ９６は、ドレーン９５の延長線上にあって、後ろ斜め下方向へ向けて延びている。
【０１１３】
ドレーンプラグ９６の素材には、透明で軟質な樹脂を適用することが好ましい。透明なドレーンプラグ９６を備える水抜き構造９１は、ドレーン９５の水抜き孔９３から排出される凝縮水の有無を容易に確認することができる。また、軟質な樹脂製のドレーンプラグ９６を備える水抜き構造９１は、ドレーンプラグ９６の着脱が容易であって、ドレーンプラグ９６に溜められる凝縮水を容易に廃棄できる。
【０１１４】
ドレーンプラグ９６は、スイングアーム本体６５の最下端（モータ室７６部分の下端）よりも上方にある。ドレーンプラグ９６は、スイングアーム本体６５の揺動範囲全域において、常にスイングアーム本体６５の最下端よりも上方にある。
【０１１５】
また、ドレーンプラグ９６は、スイングアーム本体６５の底面に設けられる複数の放熱フィン８６に挟まれている。放熱フィン８６は、ドレーン９５およびドレーンプラグ９６の形状に倣う突出量を有している。具体的には、ドレーン９５およびドレーンプラグ９６の根元近傍では、放熱フィン８６は、ドレーン９５に接続されて下面から突出するドレーン９５を補強している。そして、ドレーン９５近傍の放熱フィン８６は、ドレーンプラグ９６との干渉を避けること、およびドレーンプラグ９６の着脱性を考慮して突出量が抑制されている。また、ドレーン９５およびドレーンプラグ９６の近側方では、放熱フィン８６は、ドレーン９５およびドレーンプラグ９６の側方投影領域に重なる程度に突出している。つまり、放熱フィン８６は、車両の側面視でドレーン９５のほぼ全体を覆い隠している。
【０１１６】
ドレーンプラグ９６の全体が放熱フィン８６に挟まれていても良いし、ドレーンプラグ９６の一部が放熱フィン８６に挟まれていても良い。全体が挟まれている場合には、ドレーンプラグ９６の保護に優れ、例えば道路の縁石などに接触してドレーンプラグ９６が脱落することを防ぐことができる。他方、部分的に挟まれて一部が露出している場合には、ドレーンプラグ９６の保護および着脱性に優れ、凝縮水を容易に廃棄できる。
【０１１７】
本実施形態に係るスイングアーム９の水抜き構造９１は、ブリーザキャップ９２によって駆動ユニット収容部６９内外の通気性を取って、モータ３およびインバータ１８の運転および停止にともなう温度変化による内圧の変動を緩和する。
【０１１８】
また、本実施形態に係るスイングアーム９の水抜き構造９１は、ブリーザキャップ９２を通じて通気性を確保する一方、水滴や塵が駆動ユニット収容部６９内に侵入することを阻む。
【０１１９】
さらに、本実施形態に係るスイングアーム９の水抜き構造９１は、駆動ユニット収容部６９内に生じる凝縮水をドレーンプラグ９６へ排出することで、駆動ユニット収容部６９内に残留する水分量を低下させ、モータ３およびインバータ１８の運転と停止によって凝縮水が再び気化と液化とを繰り返し、駆動ユニット収容部６９内の水分量が増加することを防ぐ。
【０１２０】
さらにまた、本実施形態に係るスイングアーム９の水抜き構造９１は、駆動ユニット収容部６９内に生じる凝縮水をドレーンプラグ９６に貯留することで、ドレーン９５の水抜き孔９３から別途の水分や塵が侵入することを防ぐことができる。
【０１２１】
また、本実施形態に係るスイングアーム９の水抜き構造９１は、モータ３とインバータ１８との間にドレーン９５を配置することによって、一般的に円形なモータ３とインバータ１８との間に生じるスイングアーム本体６５の外壁９８の形状の不連続部分に凝縮水を集めて、これを水抜き孔９３へ誘導しやすく、駆動ユニット収容部６９内に残留する水分量を減少させることができる。
【０１２２】
さらに、本実施形態に係るスイングアーム９の水抜き構造９１は、スイングアーム本体６５の最下端よりも上方にドレーンプラグ９６を配置することで、ドレーンプラグ９６が縁石などに接触して脱落してしまうことを防止できる。
【０１２３】
さらにまた、本実施形態に係るスイングアーム９の水抜き構造９１は、後ろ斜め下方向へ向けて延びるドレーンプラグ９６を備えることで、下方への突出高さを抑え外観にも優れている。
【０１２４】
また、本実施形態に係るスイングアーム９の水抜き構造９１は、複数の放熱フィン８６の間にドレーンプラグ９６を配置することによって、ドレーンプラグ９６を目立たなくして外観を整えるとともに、ドレーンプラグ９６の保護と着脱性を高めることができる。
【０１２５】
したがって、本発明に係る電動二輪車１の水抜き構造９１によれば、スイングアーム９内の通気性と排水性を確保しつつ、走行時に飛沫する水分や塵などがモータ３やインバータ１８などの電気、電子機器を収納するスイングアーム本体６５内の空間に侵入することを確実に阻止できる。
【符号の説明】
【０１２６】
１…電動二輪車、２…燃料電池、２ａ…吸気口、２ｂ…排気口、３…モータ、５…車体、６…前輪、７…ステアリング機構、８…後輪、９…スイングアーム、１１…フレーム、１２…外装、１３…シート、１３ａ…前方部、１３ｂ…後方部、１５…燃料タンク、１６…二次電池、１７…電力管理装置、１８…インバータ、１９…車両コントローラ、２１…ヘッドパイプ、２２…上部ダウンフレーム、２３…下部ダウンフレーム、２４…下部フレーム、２５…上部フレーム、２６…ピボット軸、２６ａ…ブラケット、２７…上ブリッジフレーム、２８…下ブリッジフレーム、２９…ガードフレーム、３０…搭載機器保護フレーム、３０ａ…前保護フレーム、３０ｂ…中央保護フレーム、３０ｃ…後保護フレーム、３０ｄ…側部保護フレーム、３０ｅ…ブラケット、３０ｆ…継手用ブラケット、３１…フットボード、３１ａ…フットレストブラケット、３３…センタースタンド、３４…ヘッドパイプ近傍ブリッジフレーム、３５…センタートンネル領域、３６…機器搭載領域、３７…タイヤハウス領域、３８…リアフェンダ、４１…フロントレッグシールドカバー、４２…フロントフレームカバー、４３…フレームカバー、４５…ハンドル、４６…フロントフォーク、４７…フロントフェンダ、４８…リアサスペンション、５２…排気ダクト、５２ａ…排気口、５５…圧力容器、５６…燃料充填口、５７…燃料充填用継手、５８…燃料充填元弁、５９…燃料供給元弁、６１…クランプバンド、６２…燃料充填口用リッド、６３…タンクバルブ、６５…スイングアーム本体、６６…駆動ユニット、６７…減速機、６８…ピボット部、６９…駆動ユニット収容部、７１…パイプ、７２…内側ケース半体、７３…外側ケース半体、７５…内側側面、７６…モータ室、７７…インバータ室、７８…裏面、８１…放熱フィン、８２…導風リブ、８３…ボス、８５…底面、８６…放熱フィン、９１…水抜き構造、９２…ブリーザキャップ、９３…水抜き孔、９５…ドレーン、９６…ドレーンプラグ、９７…隔壁、９８…外壁、９９…電力線、１０１…通気孔、１０２、１０３…内壁面、１０５…谷部。
【図１】
0006661968.tif 000002
【図２】
0006661968.tif 000003
【図３】
0006661968.tif 000004
【図４】
0006661968.tif 000005
【図５】
0006661968.tif 000006
【図６】
0006661968.tif 000007
【図７】
0006661968.tif 000008
【図８】
0006661968.tif 000009